(57)【要約】【課題】ペーパーラップシューの軸心と被加工物の軸心とがワークの軸方向に対して直角な面上で互いにずれても、ペーパーラップシューの断面円弧状の凹面が、ワークの軸方向に対して直角な面上を大きい角度でフローィングすることができ、ペーパーラップシューが被加工物の軸に片当たりすることなく被加工物の軸に均等に密着させて、被加工物の軸表面の均一な仕上がりが得られるペーパーラップ装置のペーパーラップシューを提供。【解決手段】ペーパーラップシュー 3、3はシューホルダー 2、2に一対の支点ピン 4、4により軸方向に揺動可能に支持され、開閉アーム 1、1、シューホルダー 2、2及びペーパーラップシュー 3、3のそれぞれ中央に設けた穴 16、21、22、31に嵌合する中央ピン10及びワシャー13を介して、シューホルダー 2、2及びペーパーラップシュー 3、3を開閉アーム 1、1に対し中央ピン10の回りにフローィングするよう揺動可能に支持した。【選択図】図１
2008264892.tif 000002
【特許請求の範囲】
【請求項１】
比較的非圧縮性の研磨材被覆ペーパーの研磨材被覆面をクランクシャフトを含む軸物の被加工物表面に接触させ押圧する一対の開閉アームに断面Ｕ字形のシューホルダーを介して支持された比較的剛性の凹面を有するペーパーラップシューを含むペーパーラップ装置において、前記ペーパーラップシューは前記シューホルダーにペーパーラップシューに固定した一対の支点ピンにより前記開閉アームに対し前記被加工物の軸方向に揺動可能にかつ該支点ピンの軸方向に移動可能に隙間を持って支持され、
前記開閉アーム、シューホルダー及びペーパーラップシューのそれぞれ中央に設けた穴に嵌合する中央ピン及び前記開閉アームとシューホルダーとの間に挟んだワシャーを介して、前記開閉アームに対し前記シューホルダー及びペーパーラップシューを前記中央ピンの回りにフローィングするよう揺動可能に支持したことを特徴とするペーパーラップ装置のペーパーラップシュー。
【請求項２】
前記支点ピンは前記シューホルダーのＵ字形端部に設けた一対の溝に支持され、かつ前記中央ピンの大径部の１端部は前記開閉アームに固定され、大径部の他端部及びそれに続く小径部が前記シューホルダー及びペーパーラップシューの中央に設けた穴に嵌合し、さらに前記中央ピンの小径部端部に設けたねじにより前記ペーパーラップシューの中央に設けた穴と連結したことを特徴とする請求項１記載のペーパーラップ装置のペーパーラップシュー。                                
【発明の詳細な説明】
【技術分野】
【０００１】
本発明は、比較的非圧縮性の研磨材被覆ペーパーと、該ペーパー研磨材被覆面を回転される加工面を有する鋼管、自動車部品等の被加工物表面に、接触させ押圧する比較的剛性の凹面を有するペーパーラップシューとからなり、研磨材被覆ペーパーを使用して被加工物表面を極めて精密にミクロ仕上げするペーパーラップ装置のペーパーラップシューに関する。
【背景技術】
【０００２】
従来の比較的非圧縮性の研磨材被覆ペーパーと、該ペーパー研磨材被覆面を被加工物表面に接触させ押圧する剛性凹面を有する一対のペーパーラップシューとからなり、研磨材被覆ペーパーを使用して被加工物表面を極めて精密にミクロ仕上げするペーパーラップ装置のペーパーラップシューとしては、例えば特許文献１のその図２（ａ）には、一対の開閉アームに断面Ｕ字形のシューホルダーを介して支持された比較的剛性の凹面を有するペーパーラップシューが一対の支点ピンでシューホルダーに支持され、ペーパーラップシューは被加工物の軸方向に揺動可能にかつ該支点ピンの軸方向に移動可能に隙間を持ってシューホルダーを介して一対の開閉アームに支持されたものが開示されている。
【特許文献１】特開２００６−６２０１８号公報  図２（ａ）、〔００１５〕
【特許文献２】実開平２−１１４４５１号公報図１−図６、明細書９頁 9−16行
【発明の開示】
【発明が解決しようとする課題】
【０００３】
しかしながら、特許文献１に示す示すペーパーラップ装置のペーパーラップシューでは、各ペーパーラップシューが一対の支点ピンでシューホルダーに支持され、被加工物の軸の回りに垂直方向の角度のズレに対して揺動可能に支持され、かつペーパーラップシューは被加工物の軸方向に揺動可能に支持されているが、ペーパーラップシューの軸心と被加工物の軸心とが互いにずれているとき、即ち被加工物の軸の回りに垂直な方向に直交する直角方向の角度のズレがあるとき、このずれの方向にペーパーラップシューの保持力以上の外力がペーパーラップシューに加えられたとき、ペーパーラップシューは被加工物の軸に片当たりして均等に密着せず被加工物の軸表面の均一な仕上がりが得られなかった。特許文献２では、図１−図６、明細書９頁 9−16行にはアーム部材（30）に固定された連結ピン（44）が球面軸受（44a ）に固定され、連結ピン（44）に固定された球面軸受（44a ）が、接触シュー（40）の一端部と連結ピン（44）とを一方が他方に対して球面運動するように連結していることにより、接触シュー（40）の断面円弧状の凹面が、ワークの軸方向に対して直角な面上をフローィングすることを開示する。しかしながら、接触シュー（40）の一端部が球面軸受（44a ）に支持され、極めて僅かの角度しかフローィングできず、かつ球面軸受（44a ）は複雑高価で摩耗しやすいなどの課題があった。
【０００４】
本発明の課題は、かかる従来製品の課題を解決した、ペーパーラップシューの軸心と被加工物の軸心とがワークの軸方向に対して直角な面上で互いにずれており、このずれの方向にペーパーラップシューの保持力以上の外力がペーパーラップシューに加えられたとき、ペーパーラップシューの断面円弧状の凹面が、ワークの軸方向に対して直角な面上を大きい角度でフローィングすることができ、ペーパーラップシューが被加工物の軸に片当たりすることがなく被加工物の軸に均等に密着させて、被加工物の軸表面の均一な仕上がりが得られるような、極めて簡単、安価で耐摩耗性がある、ペーパーラップ装置のペーパーラップシューを提供することにある。
【課題を解決するための手段】
【０００５】
このため本発明は、比較的非圧縮性の研磨材被覆ペーパーの研磨材被覆面をクランクシャフトを含む軸物の被加工物表面に接触させ押圧する一対の開閉アームに断面Ｕ字形のシューホルダーを介して支持された比較的剛性の凹面を有するペーパーラップシューを含むペーパーラップ装置において、前記ペーパーラップシューは前記シューホルダーにペーパーラップシューに固定した一対の支点ピンにより前記開閉アームに対し前記被加工物の軸方向に揺動可能にかつ該支点ピンの軸方向に移動可能に隙間を持って支持され、
前記開閉アーム、シューホルダー及びペーパーラップシューのそれぞれ中央に設けた穴に嵌合する中央ピン及び前記開閉アームとシューホルダーとの間に挟んだワシャーを介して、前記シューホルダー及びペーパーラップシューを前記開閉アームに対し前記中央ピンの回りにフローィングするよう揺動可能に支持したことを特徴とするペーパーラップ装置のペーパーラップシューを提供することによって上記した従来製品の課題を解決した。
【発明の効果】
【０００６】
かかる構成により、本発明では、前記ペーパーラップシューは前記シューホルダーにペーパーラップシューに固定した一対の支点ピンにより前記開閉アームに対し前記被加工物の軸方向に揺動可能にかつ該支点ピンの軸方向に移動可能に隙間を持って支持され、
前記開閉アーム、シューホルダー及びペーパーラップシューのそれぞれ中央に設けた穴に嵌合する中央ピン及び前記開閉アームとシューホルダーとの間に挟んだワシャーを介して、前記シューホルダー及びペーパーラップシューを前記開閉アームに対し前記中央ピンの回りにフローィングするよう揺動可能に支持したことにより、ペーパーラップシューの軸心と被加工物の軸心とがワークの軸方向に対して直角な面上で互いにずれており、このずれの方向にペーパーラップシューの保持力以上の外力がペーパーラップシューに加えられたとき、ペーパーラップシューの断面円弧状の凹面が、ワークの軸方向に対して直角な面上を大きい角度でフローィングすることができ、ペーパーラップシューが被加工物の軸に片当たりすることがなく被加工物の軸に均等に密着させて、被加工物の軸表面の均一な仕上がりが得られるような、極めて簡単、安価で耐摩耗性がある、ペーパーラップ装置のペーパーラップシューを提供するものとなった。
【０００７】
好ましくは、前記支点ピンは前記シューホルダーのＵ字形端部に設けた一対の溝に支持され、かつ前記中央ピンの大径部の１端部は前記開閉アームに固定され、大径部の他端部及びそれに続く小径部が前記シューホルダーの中央に設けた穴に嵌合し、さらに前記中央ピンの小径部端部に設けたねじにより前記ペーパーラップシューと連結したことにより、着脱が容易かつ精度が出しやすいペーパーラップ装置のペーパーラップシューを提供するものとなった。
【発明を実施するための最良の形態】
【０００８】
本発明を実施するための最良の形態の一例を図面を参照して説明する。図１は本発明の実施形態のペーパーラップ装置の開閉アーム、断面Ｕ字形のシューホルダー及びペーパーラップシューを示す要部概略側面図、図２は図１の開閉アーム、シューホルダー、ペーパーラップ及び被加工物の部品展開斜視図、図３は被加工物の面性状を示す被加工物の軸幅方向で測定した面粗度の測定結果で、（ａ）は本発明のフローィング装置を使用しない従来のペーパーラップ装置のペーパーラップシューを使用してペーパーラップ加工したときの面粗度を示し、（ｂ）は本発明のフローィング装置を使用した本発明の実施例１のペーパーラップ装置のペーパーラップシューを使用した加工例を示す。
【０００９】
図１に示すように、本発明の実施形態のペーパーラップ装置のペーパーラップシューは、図示しない比較的非圧縮性の研磨材被覆ペーパーの研磨材被覆面をクランクシャフトを含む軸物の被加工物 6表面に接触させ押圧する一対の開閉アーム 1、1に断面Ｕ字形のシューホルダー 2、2を介して支持された比較的剛性の凹面を有する比較的剛性の凹面 3a,3aを有するペーパーラップシュー 3、3とを含むペーパーラップ装置において、ペーパーラップシュー 3、3はシューホルダー 2、2にペーパーラップシュー 3、3に固定した一対の支点ピン 4、4により開閉アーム 1、1に対し被加工物 6の軸方向に揺動可能にかつ支点ピン 4、4の軸方向に移動可能に隙間ｅを持って支持され、開閉アーム 1、1、シューホルダー 2、2及びペーパーラップシュー 3、3のそれぞれ中央に設けた穴 16、21、22、31に嵌合する中央ピン10及び開閉アーム 1、1とシューホルダー 2、2との間に挟んだワシャー13を介して、シューホルダー 2、2及びペーパーラップシュー 3、3を開閉アーム 1、1に対し中央ピン10の回りにフローィングするよう揺動可能に支持したものである。被加工物 6であるクランクシャフト 6は、図示しないペーパーラップ装置本体に取り付けられたヘッドストックとテールストックとの間にセンタリングされ、回転可能に支持される。
【実施例１】
【００１０】
図３は被加工物の面性状を示す被加工物の軸幅方向で測定した面粗度の測定結果で、（ａ）は本発明のフローィング装置を使用しない従来のペーパーラップ装置のペーパーラップシューを使用してペーパーラップ加工したときの面粗度を示し、このときの面粗度は約14μｍであった。（ｂ）は本発明のフローィング装置を使用した本発明の実施例１のペーパーラップ装置のペーパーラップシューを使用した加工例を示し、面粗度は約３μｍであった。
【００１１】
かかる構成により、本発明の実施形態のペーパーラップ装置のペーパーラップシューは、シューホルダーにペーパーラップシューに固定した一対の支点ピンにより開閉アームに対し被加工物の軸方向に揺動可能にかつ該支点ピンの軸方向に移動可能に隙間を持って支持され、前記開閉アーム、シューホルダー及びペーパーラップシューのそれぞれ中央に設けた穴に嵌合する中央ピン及び前記開閉アームとシューホルダーとの間に挟んだワシャーを介して、前記シューホルダー及びペーパーラップシューを前記開閉アームに対し前記中央ピンの回りにフローィングするよう揺動可能に支持したことにより、ペーパーラップシューの軸心と被加工物の軸心とがワークの軸方向に対して直角な面上で互いにずれており、このずれの方向にペーパーラップシューの保持力以上の外力がペーパーラップシューに加えられたとき、ペーパーラップシューの断面円弧状の凹面が、ワークの軸方向に対して直角な面上を大きい角度でフローィングすることができ、ペーパーラップシューが被加工物の軸に片当たりすることがなく被加工物の軸に均等に密着させて、被加工物の軸表面の均一な仕上がりが得られるような、極めて簡単、安価で耐摩耗性がある、ペーパーラップ装置のペーパーラップシューを提供するものとなった。
【００１２】
図１に示す、支点ピン 4、4はシューホルダー 2、2のＵ字形端部に設けた一対の溝 5、5に支持され、かつ中央ピン10の大径部11の１端部はナット14で開閉アーム 1、1に固定され、大径部11の他端部及びそれに続く小径部12がシューホルダー 2、2の中央に設けた穴 21、22に嵌合し、さらに中央ピン10の小径部12端部に設けたねじ15によりペーパーラップシュー 3、3の中央に設けた穴31のめねじ31と連結したことにより、着脱が容易かつ精度が出しやすいペーパーラップ装置のペーパーラップシューを提供するものとなった。
【図面の簡単な説明】
【００１３】
【図１】本発明の実施形態のペーパーラップ装置の開閉アーム、断面Ｕ字形のシューホルダー及びペーパーラップシューを示す要部概略側面図。
【図２】図２は図１の開閉アーム、シューホルダー、ペーパーラップシュー及び被加工物の部品展開斜視図。
【図３】被加工物の面性状を示す被加工物の軸幅方向で測定した面粗度の測定結果で、（ａ）は本発明のフローィング装置を使用しない従来のペーパーラップ装置のペーパーラップシューを使用してペーパーラップ加工したときの面粗度を示し、（ｂ）は本発明のフローィング装置を使用した本発明の実施例１のペーパーラップ装置のペーパーラップシューを使用した加工例を示す。
【符号の説明】
【００１４】
１：開閉アーム、２：シューホルダー、３：ペーパーラップシュー
3a：比較的剛性の凹面、４：支点ピン、５：溝、６：クランクシャフトを含む被加工物
10：中央ピン、11：中央ピンの大径部、12：中央ピンの小径部、13：ワシャー
【図１】
2008264892.tif 000003
【図２】
2008264892.tif 000004
【図３】
2008264892.tif 000005